(57)【特許請求の範囲】
【請求項１】
ディスク型記録媒体に記録された情報を再生するディスク再生装置であって、
前記記録媒体に記録された情報から主映像信号を復号化するビデオデコーダ部と、
前記主映像信号よりも解像度が低い車載用のディスプレイ装置と、
前記記録媒体に記録された情報からメニュー画像用のグラフィックデータを抽出するグラフィックデコーダ部と、
ユーザが操作部を操作してメニュー表示を選択したときに、前記グラフィックデコーダ部によって抽出したメニュー画像用のグラフィックデータから予め設定した切出し領域内のグラフィックデータを切出す領域切出し部と、
前記主映像信号を前記グラフィックデータの解像度よりも低解像度に変換するダウンコンバータを含み、前記ディスプレイ装置に表示された主映像信号に対して前記切出されたメニュー画像用のグラフィックデータの拡大率が大きくなるよう表示するための解像度変換部と、
前記解像度変換された主映像信号と、前記切出されたグラフィックデータに基くメニュー画像とを合成して前記ディスプレイ装置に表示するためのオーバレイ部と、
を具備することを特徴とするディスク再生装置。
【請求項２】
前記領域切出し部は、前記ユーザの操作に応答して前記切出し領域の位置を変更可能にしたことを特徴とする請求項１記載のディスク再生装置。
【請求項３】
前記解像度変換部は、前記前記グラフィックデータを前記低解像度に変換された前記主映像信号の解像度よりも高解像度に変換するアップコンバータを含むことを特徴とする請求項１記載のディスク再生装置。
【請求項４】
前記メニュー画像は、上位層のメニューアイテムと、前記上位層のメニューアイテムに関連する下位層のメニューアイテムで構成され、
前記メニュー画像が前記ユーザの操作に応答して前記上位層のメニューアイテムの表示から前記下位層のメニューアイテムを含む表示に変化したときに、前記領域切出し部での切出し領域を前記下位層のメニューアイテムを含むように移動させる切出し位置制御部、を備えたことを特徴とする請求項１記載のディスク再生装置。
【請求項５】
前記グラフィックデコーダ部は、前記メニュー画像及び前記メニュー画像の透明度を表すアルファ値を含むグラフィックデータを抽出し、
前記メニュー画像が前記上位層のメニューアイテムの表示から前記下位層のメニューアイテムを含む表示に変化したことを検出するため、前記グラフィックデコーダ部から抽出された前記アルファ値のデータを保持するデータ保持部と、前記データ保持部に保持されたデータと前記グラフィックデコーダ部から新たに抽出されたアルファ値とを比較して差分データを抽出し、前記差分データに基いて前記メニュー画像の変化領域を検出する比較部と、を有する検出部を備えたことを特徴とする請求項４記載のディスク再生装置。
【請求項６】
前記検出部は、前記データ保持部に保持するアルファ値及び前記比較部で比較するアルファ値のデータ量を予め削減するため、ビット低減処理及びサブサンプリング処理の少なくとも一方の処理を施すことを特徴とする請求項５記載のディスク再生装置。
【請求項７】
ディスク型記録媒体に記録された情報を再生するディスク再生方法であって、
前記記録媒体に記録された情報から主映像信号を復号化するとともに、メニュー画像用のグラフィックデータを抽出し、
ユーザが操作部を操作してメニュー表示を選択したときに、前記抽出したメニュー画像用のグラフィックデータから予め設定した切出し領域内のグラフィックデータを切出し、
前記復号化した主映像信号をダウンコンバータによって前記グラフィックデータの解像度よりも低解像度に変換し、
前記解像度変換した前記主映像信号と、前記切出されたグラフィックデータに基くメニュー画像とを合成して、前記主映像信号よりも解像度が低い車載用のディスプレイ装置に供給し、前記ディスプレイ装置に表示された主映像信号に対して前記切出されたメニュー画像の拡大率が大きくなるように表示することを特徴とするディスク再生方法。
【請求項８】
前記メニュー画像は、上位層のメニューアイテムと、前記上位層のメニューアイテムに関連する下位層のメニューアイテムで構成され、
前記メニュー画像が前記ユーザの操作に応答して前記上位層のメニューアイテムの表示から前記下位層のメニューアイテムを含む表示に変化したときに、前記切出し領域を前記下位層のメニューアイテムを含むように移動させることを特徴とする特徴とする請求項７記載のディスク再生方法。
【請求項９】
前記グラフィックデータは、前記メニュー画像及び前記メニュー画像の透明度を表すアルファ値を含み、
前記メニュー画像が前記上位層のメニューアイテムを表示しているときに前記アルファ値のデータをデータ保持部に保持し、
前記上位層のメニューアイテムの表示から前記下位層のメニューアイテムを含む表示に変化したときに前記データ保持部に保持されたデータと新たに抽出されたアルファ値とを比較して差分データを抽出し、
前記差分データに基いて前記メニュー画像の変化領域を検出し、
前記検出結果に基いて前記切出し領域を、前記変化領域を含むように移動させることを特徴とする請求項７記載のディスク再生方法。
【発明の詳細な説明】
【技術分野】
【０００１】
本発明は、光ディスクであるＤＶＤ（Digital Versatile Disk）、特にＨＤ  ＤＶＤ（High Definition DVD）に記録された情報を再生するディスク再生装置に係り、メニュー情報の視認性を改善したディスク再生装置及びディスク再生方法に関する。
【背景技術】
【０００２】
近年、ＤＶＤ−Ｖｉｄｅｏ規格に準拠した光ディスク（ＤＶＤ）に対して音声信号や映像信号等の情報を記録し、それを再生するディスク再生装置が普及している。また、近年では大画面・高解像度の家庭用テレビの普及に伴い、このような大画面テレビに映し出す映像コンテンツの供給源として、高解像度映像を記録した次世代光ディスクが開発され、市場での販売が開始されている。
【０００３】
このような次世代光ディスクの一例としてＨＤ  ＤＶＤがあげられる。ＨＤ  ＤＶＤは、基本的には従来のＤＶＤを元に映像信号の高解像度化、音声信号の高品質化を図って拡張されたものである。また再生対象や再生方法等を指定するため、所謂メニュー情報の表示方法も拡張されている。
【０００４】
メニュー選択を行う場合、一般的には画面に表示されたメニュー画像の中からユーザが希望するアイテムをリモコン操作等により選択するようにしている。例えば、従来のＤＶＤでは、本編映像を再生中にリモコンのメニューボタンを押すと、本編の再生が停止されて、メニュー専用の画面に遷移する。さらにこのメニュー画像中のサブアイテムを指定すると、現在のメニュー画像は消え別のサブメニュー画像が新たに映し出されるようになっている。
【０００５】
一方、ＨＤ  ＤＶＤでは、本編映像を再生中にリモコンのメニューボタンを押すと、本編の再生を継続したまま、画面の一部にメニューアイテムが表示される。さらにメニューアイテムの選択を行うと、現在のメニューアイテムが表示されたまま、新たに別のサブアイテムが追加表示されるようになっている。
【０００６】
図１１は、ＨＤ  ＤＶＤを再生しているときのメニュー画像の表示例を示している。図１１（ａ）は、本編映像(主映像)の再生状態を示しており、再生中にリモコンのメニューボタンが操作されると図１１（ｂ）に示すように画面の一部にメニュー画像が表示される。メニュー画像には、複数のメニューアイテムＭ１が含まれ、メニューアイテムの中のいずれかのアイテムを選択すると、選択したアイテムに関連するサブアイテムＭ２が追加表示されるようになっている。またサブアイテムＭ２の中のいずれかのアイテムを選択し、その選択したアイテムに下層アイテムが含まれている場合は、図１１（ｃ）で示すように下層アイテムＭ３が表示される。
【０００７】
尚、上記したメニュー画像の表示方法は、ＨＤ  ＤＶＤ規格によって強要されているものではない。ＨＤ  ＤＶＤ規格は、より広いコンテンツ構成方法を許容しているが、一般的には、上記したようなメニューの表示方法が主流となっている。コンテンツ作成者は、これらコンテンツが大画面・高解像度のテレビモニタに映出されるという前提のもとにメニュー画像を構成しているので、ＨＤ  ＤＶＤでは、１画面内に表示されるメニューアイテムの数は増加する傾向にある。このため、１つのメニューアイテムの表示サイズは、画面サイズに対して小さくなっている。
【０００８】
上記したメニュー画像の表示方法は、家庭用テレビの大画面化・高解像度化に即したものであり、ＨＤ  ＤＶＤを家庭で再生するには問題はないが、同じＨＤ  ＤＶＤを車に搭載したモニタで再生する場合には、いくつかの問題が発生する。
【０００９】
即ち、車の中という限られた空間では、モニタの極端な大型化・高解像度化は難しい。そのため、上記のようにして作成されたコンテンツを、低解像度の車載用モニタ(例えば１０数インチ程度)に表示する場合は、解像度変換を行って表示することになるが、図１１（ｄ）で示すように、メニュー画像及びメニュー文字が小さくなり、メニューアイテムを認識することが非常に困難になる。
【００１０】
また車載用機器は、家庭用機器と異なり機器の操作をリモコンで行うのではなく、タッチパネルで行う方法が主流である。このため、メニューアイテムのサイズが小さくなると、タッチパネルでの操作が難しくなり、誤って希望するメニューアイテム以外のアイテムを選択する可能性がある。
【００１１】
特許文献１には、操作性の向上を図ったディスク再生装置の一例が記載されているが、車載用機器についてのメニュー操作については、考慮されていない。
【特許文献１】特開２００７−１７２７６３号公報
【発明の開示】
【発明が解決しようとする課題】
【００１２】
車載用機器においてＨＤ  ＤＶＤの再生を行う場合、メニュー画像及びメニュー文字が小さくなり、メニューアイテムを認識することが困難になる。またタッチパネルでの操作が難しくなり、誤操作する可能性がある。
【００１３】
本発明はこのような事情に鑑みて、車載用機器のような小型モニタであってもメニュー画像の視認性及び操作性の向上を図ったディスク再生装置及びディスク再生方法を提供することを目的とする。
【課題を解決するための手段】
【００１４】
請求項１記載の本発明は、ディスク型記録媒体に記録された情報を再生するディスク再生装置であって、前記記録媒体に記録された情報から主映像信号を復号化するビデオデコーダ部と、前記主映像信号よりも解像度が低い車載用のディスプレイ装置と、前記記録媒体に記録された情報からメニュー画像用のグラフィックデータを抽出するグラフィックデコーダ部と、ユーザが操作部を操作してメニュー表示を選択したときに、前記グラフィックデコーダ部によって抽出したメニュー画像用のグラフィックデータから予め設定した切出し領域内のグラフィックデータを切出す領域切出し部と、前記主映像信号を前記グラフィックデータの解像度よりも低解像度に変換するダウンコンバータを含み、前記ディスプレイ装置に表示された主映像信号に対して前記切出されたメニュー画像用のグラフィックデータの拡大率が大きくなるよう表示するための解像度変換部と、前記解像度変換された主映像信号と、前記切出されたグラフィックデータに基くメニュー画像とを合成して前記ディスプレイ装置に表示するためのオーバレイ部と、を具備することを特徴とする。
【００１６】
請求項７記載の本発明は、ディスク型記録媒体に記録された情報を再生するディスク再生方法であって、前記記録媒体に記録された情報から主映像信号を復号化するとともに、メニュー画像用のグラフィックデータを抽出し、ユーザが操作部を操作してメニュー表示を選択したときに、前記抽出したメニュー画像用のグラフィックデータから予め設定した切出し領域内のグラフィックデータを切出し、前記復号化した主映像信号をダウンコンバータによって前記グラフィックデータの解像度よりも低解像度に変換し、前記解像度変換した前記主映像信号と、前記切出されたグラフィックデータに基くメニュー画像とを合成して、前記主映像信号よりも解像度が低い車載用のディスプレイ装置に供給し、前記ディスプレイ装置に表示された主映像信号に対して前記切出されたメニュー画像の拡大率が大きくなるように表示することを特徴とする。
【発明の効果】
【００１７】
本発明のディスク再生装置では、小画面のモニタにＨＤ  ＤＶＤコンテンツを表示した場合でもメニュー画像を大きく表示することができ、メニュー表示の認識とメニュー操作が容易になる。またメニュー操作を行いグラフィック画像が変化した場合に、メニュー画像の切出し位置がそれに反映して移動するため、ユーザの操作性を向上することができる。
【発明を実施するための最良の形態】
【００１８】
以下、この発明のディスク再生装置の一実施形態について図面を参照して説明する。
【実施例１】
【００１９】
図１は本発明の一実施形態に係るディスク再生装置の全体構成を示すブロック図である。図１において、１１はディスク型記録媒体である光ディスクである。本発明ではＨＤ  ＤＶＤ等の大画面化・高解像度化に即した光ディスクを想定しており、以下、単にディスク１１と呼ぶ。
【００２０】
ディスク１１は、スピンドルモータ１２によって一定の線速度で回転される。ディスク１１からの情報の再生は、光ピックアップ１３によって行われ、ディスク１１にレーザ光を照射し、その反射光によってディスク１１に記録されているデータを読み出す。
【００２１】
光ピックアップ１３は、送りモータ１４によってディスク１１の半径方向に移動制御され、再生位置を決定する。１５はサーボ制御部であり、後述するシステムコントローラ３０等から供給される制御信号に応じて、スピンドルモータ１２の回転を制御するとともに、光ピックアップ１３のトラッキング制御、フォーカス制御、及び送りモータ１４の駆動制御を行う。
【００２２】
１６はＲＦアンプであり、光ピックアップ１３によって読み出したデータに対応するＲＦ信号を増幅して次段に伝達する。又、このＲＦアンプ１６は、ＲＦ信号からフォーカス制御用の信号及びトラッキング制御用の信号を分離して、これらの制御信号をサーボ制御部１５に送る。
【００２３】
サーボ制御部１５は、フォーカス制御用の信号に基づいて光ピックアップ１３のアクチュエータ(図示せず)を制御し、光ビームが、ディスク１１上に常時ジャストフォーカスとなるように制御する。また、トラッキング制御用の信号に基づいてアクチュエーを制御し、光ピックアップ１３のトラッキング方向の移動を制御する。これにより、データの再生を正確に行うようにしている。
【００２４】
１７はデジタル信号処理部であり、ＲＦアンプ１６からのＲＦ信号をデジタル化し、デジタル化された信号の復調処理と誤り訂正処理を行い、デジタル信号処理部１７による信号処理の過程で得られたデータをＲＡＭ１８に格納する。またデジタル信号から制御信号が分離され、分離された制御信号がサーボ制御部１５及び後述するシステムコントローラ３０に送られる。
【００２５】
１９はストリーム分離部であり、デジタル信号処理部１７から出力された信号を、オーディオビットストリーム、メインピクチャビットストリーム及びサブピクチャビットストリームに分離し、オーディオ・ビデオ処理部２０に供給する。メインピクチャビットストリームはＭＰＥＧ２のフォーマットに従って圧縮された信号であり、この中には映像情報が含まれる。また、サブピクチャビットストリームはランレングス圧縮方式に従って圧縮された信号であり、この中には字幕情報等が含まれる。
【００２６】
２１は、オーディオデコーダ部であり、ストリーム分離部１９で分離されたオーディオビットストリームを復号化処理して、デジタルオーディオ信号を出力する。オーディオデコーダ部２１から出力されたデジタルオーディオ信号は、Ｄ／Ａ変換器２２によってアナログオーディオ信号に変換され、アナログオーディオ信号は、パワーアンプ（図示せず）を介してスピーカ２３から出力される。
【００２７】
２４はビデオデコーダ部であり、ストリーム分離部１９で分離されたメインピクチャビットストリームを復号化処理する。２５はサブピクチャデコーダ部であり、ストリーム分離部１９で分離されたサブピクチャビットストリームを復号化処理する。
【００２８】
２６は、グラフィックデコーダ部であり、デジタル信号処理部１７からメニュー表示等に用いられるグラフィックデータを抽出する。グラフィックデコーダ部２６は、ファイルキャッシュ用のバッファを含む。
【００２９】
また２７はビデオプロセッサであり、ビデオデコーダ部２４から出力されたメインピクチャと、サブピクチャデコーダ部２５から出力されたサブピクチャ、及びグラフィックデコーダ部２６からのグラフィックデータをデジタル合成する。
【００３０】
２８はビデオエンコーダであり、ビデオプロセッサ２７から出力された合成データを表示用のビデオ信号に変換する。このビデオエンコーダ２８から出力されたビデオ信号は、液晶パネルなどのディスプレイ装置２９に供給され、画像が表示される。
【００３１】
３１は、操作部であり、例えばディスプレイ装置２９の周辺に設けたキー入力部３１１や、ディスプレイ装置２９と一体のタッチパネル３１２で成る。或いはリモートコントローラ３１３（リモコン）で成る。
【００３２】
操作部３１は、再生、停止、早送り、ボリューム設定などの各種操作のほかに、メニュー表示や、メニュー選択を行うものである。尚、操作部３１としては、キー入力部３１１、タッチパネル３１２、リモコン３１３を全て備える必要は無い。また操作部３１は、ディスプレイ装置２９に表示されるカーソルを移動して各種の選択を行う際にも使用される。
【００３３】
システムコントローラ３０は、ＣＰＵ及びＲＯＭ等を含み、ＲＯＭに格納されたプログラムに従ってディスク再生装置の全体的な動作を制御する。システムコントローラ３０は、操作部３１からの各種の指示信号、デジタル信号処理部１７からの信号及びストリーム分離部１９からの信号を受けて、サーボ制御部１５、デジタル信号処理部１７、ストリーム分離部１９及びビデオプロセッサ２７を制御する。またシステムコントローラ３０には、ＲＡＭ３２が接続され、システムコントローラ３０の制御のもとに行われる各種の処理によって得られるデータを一時的に格納する。
【００３４】
図２は、本発明の主要部であるビデオプロセッサ２７の構成を示すブロック図であり、メニュー表示処理部の細部の構成を示す図である。
【００３５】
ＨＤ  ＤＶＤビデオ規格では、図１１で説明したように、主映像を再生中に、再生を制御するためのメニュー画像をオーバレイ表示することができる。このようにメニュー画像がオーバレイされた映像を、コンテンツよりも低解像度のディスプレイ装置２９（以下、モニタ２９と称す）に表示するためには、解像度変換を行う必要があるが、この方法では、図１１（ｄ）で説明したように、メニュー情報の視認性が劣化し、また小型モニタでのタッチパネルによるメニュー操作では誤操作する可能性がある。
【００３６】
そこで本発明では、主映像については低解像度のモニタ２９に合わせて解像度変換する一方、メニュー情報に関しては解像度を変換することなく、もとのメニュー画像から一部の領域を切り出し、解像度変換された主映像に、切り出されたメニュー画像をオーバレイして表示するものである。
【００３７】
図２において、４１は解像度変換部であり、ビデオデコーダ部２４からの主映像信号（例えば１９２０×１０８０の解像度）をモニタ２９に合せて例えば８００×４５０の低い解像度に変換（ダウンコンバート）する。
【００３８】
４２は、領域切出し部であり、グラフィックデコーダ部２６から出力されるグラフィックデータの一部を切出すものである。グラフィックデータには、グラフィック画像を表示するためのグラフィック信号(ＲＧＢ信号)と、グラフィック画像の透明度を表すアルファ値のデータが含まれる。以下の説明では、グラフィック画像としてメニュー画像を表示する例を述べる。
【００３９】
領域切出し部４２は、メニュー画像の一部の領域の切出しを行い、かつ切出した領域のアルファ値のデータを抽出する。領域切出し部４２は、切出し位置制御部４３の制御のもとにグラフィック画像(メニュー画像)の切出しを行う。切出し位置制御部４３は、ユーザ操作に応答して領域切出し部４２を制御する。例えばユーザが操作部３１を操作し、メニュー表示の指示を行うと、領域切出し部４２は、メニュー画像の内、予め設定した領域を切出す。また切出し位置はユーザ操作によって変更することができる。
【００４０】
解像度変換部４１によって解像度が変換された主映像信号、及び領域切出し部４２によって切出されたグラフィック信号(ＲＧＢ信号)とアルファ値のデータは、オーバレイ部４４に供給される。オーバレイ部４４は、主映像信号とグラフィック信号をアルファ値データに基いて合成処理（重ね合せ）するものである。
【００４１】
オーバレイ部４４は乗算部４４１、４４２及び加算部４４３によって合成処理を行う。即ち、グラフィック画像はアルファ値によって透明度が規定されているため、透明領域では主映像信号のレベルを大きくし、不透明領域ではグラフィック信号のレベルを大きくして合成するようにしている。
【００４２】
図３は、図２の回路の動作説明図である。図３（ａ）は、ビデオデコーダ部２４からの主映像信号による画像を示し、図３（ｂ）は、グラフィックデコーダ部２６から出力されるグラフィック信号に基くメニュー画像５１を示している。尚、メニュー画像５１は、例えば複数のメニューアイテムＭ１と、メニューアイテムＭ１に関連するサブアイテムＭ２と、サブアイテムＭ２の下層アイテムＭ３にて構成される。
【００４３】
また、メニューアイテムＭ１としては、音声・字幕選択やシーン選択等のアイテムがあり、音声・字幕選択やシーン選択に関連してそれぞれサブアイテムＭ２が存在するが、以下の説明では、便宜上、音声・字幕選択のメニューアイテムを表示する場合を例にして説明する。
【００４４】
主映像信号は、図３（ｃ）に示すように、解像度変換部４１によってモニタ２９に合せた低い解像度に変換される。一方、グラフィック画像は、全体でみると、例えば図３（ｂ）のようにメニュー画像５１の領域と、メニュー画像５１が無い透明領域５２に区分される。また矩形領域５３は、切出し領域を示している。
【００４５】
領域切出し部４２は、図３（ｄ）で示すように、メニュー画像５１の中から切出し領域５３内にあるメニュー画像の切出しを行う。解像度変換された図３（ｃ）の主映像信号と、切出されたメニュー画像はオーバレイ部４４によって合成処理され、図３（ｅ）に示すように重ね合わせて表示される。
【００４６】
したがって、主映像信号はモニタ２９の大きさ・解像度に合せて解像度変換されて表示されるが、メニュー画像は一部が切出されてもとのサイズのまま大きく表示されるため、メニュー選択の操作が容易になる。メニュー選択は、モニタ２９に表示されたメニュー画像にタッチすることで行われる。
【００４７】
尚、図３（ｅ）の表示画面では、一部のメニュー画像しか表示されないため、ユーザが希望するアイテムが表示されない場合もある。このような場合、ユーザは操作部３１（例えばリモコン３１３のカーソルキー）を操作することで切出し領域５３を移動することができる。したがって、希望するアイテムを表示させることができる。
【００４８】
こうして本発明の一実施形態では、メニュー画像を車載用途のように比較的小画面・低解像度のモニタに表示する場合であっても、メニュー情報の視認性が良好になる。またタッチパネルによりメニュー操作を行う場合も、誤って別のアイテムを選択するといった誤操作を低減することができる。
【００４９】
図４は本発明の一実施形態の変形例を示すブロック図である。図４（ａ）の構成は、グラフィックデコーダ２６と領域切出し部４２との間に解像度変換部４５を設け、グラフィックデータの解像度を変換するようにしたものである。
【００５０】
即ち、メニュー画像全体に対して切出し領域５３の比率が小さいと、切出したメニュー画像の領域が狭すぎて、操作に支障を来たす場合がある。そこで解像度変換部４５によってグラフィック画像を低解像度に変換することでメニュー画像全体に対する切出し領域５３の比率を大きくすることができる。
【００５１】
図４（ｂ）は、この変形例におけるモニタ２９での表示画面の一例を示している。この場合、切出し領域５３の大きさは図３（ｂ）と同じであるが、メニュー画像の大きさが解像度変換により小さくなるため、切出し領域５３内のメニュー量が増加する。したがって、切出したメニュー画像の文字の大きさは若干小さくなるが、メニューアイテムが多く表示されるため、メニュー選択の操作がしやすくなる。
【００５２】
尚、解像度変換部４５による変換率はモニタ２９の大きさに応じて任意に設定すればよい。また図４（ａ）において、領域切出し部４２と解像度変換部４５の処理順序を入れ替え、領域切出し部４２によってメニュー画像を切出した後で、解像度を変換するようにしても良い。
【００５３】
ところで、図２の実施形態ではメニュー画像の一部を大きく表示することができるが、以下の点でさらに改善する余地がある。即ち、図２の例では、切出し領域５３の位置が固定的であるため、例えば図５（ａ）で示すようにサブアイテムＭ２の一部が切出し領域５３内にあっても、それに関連する下層アイテムＭ３が切出し領域５３から外れている場合は、下層アイテムＭ３は切出されない。
【００５４】
したがって実際には図５（ｂ）で示すように、サブアイテムＭ２を操作した結果、下層アイテムＭ３が追加表示される場合であってもモニタ２９には下層アイテムＭ３が表示されず、ユーザはこの追加アイテムを認識することができない。そこでユーザは切出し領域５３の位置を変更することで、下層アイテムＭ３も含むように表示することはできるが、下層アイテムＭ３の存在を知らない場合は、切出し領域５３の位置を変更しないこともある。また手動で切出し領域５３を移動するにしても、どの方向に移動すればよいか分かりにくい。
【実施例２】
【００５５】
そこで本発明の第２の実施形態では、グラフィックデータの切出し位置を自動的に変更する点に特徴がある。
【００５６】
図６は、本発明の第２の実施形態におけるメニュー表示処理部の細部の構成を示すブロック図である。図６では、図２の構成に対してデータ保持部４６と比較部４７を追加し、比較部４７の出力によって切出し位置制御部４３を制御するようにしている。
【００５７】
データ保持部４６は、グラフィックデコーダ部２６からのグラフィックデータの内、アルファ値のデータを保存するものであり、比較部４７は保持したアルファ値と新たな（現時点での）アルファ値とを比較し、比較結果に応じてグラフィックデータの切出し位置を制御するものである。
【００５８】
図６のブロック図の動作を図７、図８を参照して説明する。
【００５９】
図７（ａ）は、グラフィックデコーダ部２６からのグラフィック信号に基くメニュー画像５１の一例を示している。切出し領域５３が図示する位置にあったと仮定すると、メニュー表示の操作がなされたとき、グラフィックデコーダ部２６からは切出し領域５３内のサブアイテムＭ２（例えば音声・字幕選択のアイテム）を含むメニュー画像のデータが得られる。
【００６０】
図７（ｂ）は、このときのグラフィック画像のアルファ値のデータを示している。アルファ値はグラフィック画像の透明度を所定の諧調で表現した値であり、透明領域５２ではグラフィック画像は表示されず、メニュー画像の領域では所定のアルファ値を有する。この図では、アルファ値を２値レベルで表現している。
【００６１】
図７（ｂ）において明度の高い白レベルの領域６１はアルファ値が高い領域、即ちメニュー画像の表示領域であり、明度の低い黒レベルの領域６２はアルファ値が低い透明領域を示している。このときのアルファ値は、データ保持部４６に記憶され保持される。また、このとき切出し領域５３によって切出されたメニュー画像に基いて、モニタ２９には、図８（ａ）で示す画像が表示される。
【００６２】
次にユーザが図８（ａ）の画像を利用して音声・字幕選択のサブアイテムＭ２を選択すると、図７（ｃ）で示すように、グラフィックデコーダ部２６からは下層アイテムＭ３を含むグラフィックデータが得られる。このため、アルファ値の白レベルの領域６１は、図７（ｄ）で示すように新たに追加された下層アイテムＭ３の領域を含むように広がる。
【００６３】
このとき比較部４７は、図７（ｂ）と図７（ｄ）のアルファ値を比較し、比較した結果、両者の差分データ（差分領域６３で示す）が得られる。差分領域６３は、図７（ｅ）で示すように追加された下層アイテムＭ３の領域に相当する。したがってデータ保持部４６と比較部４７は、グラフィック画像の変化領域を検出する検出部を構成する。
【００６４】
この比較結果に基いて、比較部４７は切出し位置制御部４３を制御して、切出し領域５３の位置を、差分領域６３を含むように自動的に変更する。図７（ｃ）においては、切出し領域５３が矢印で示す位置５３１に移動した状態を示している。
【００６５】
これにより切出し領域５３は、下層アイテムＭ３を含む位置に移動するため、新たな切出し領域５３１内にあるメニュー画像が切出され、モニタ２９に表示される。この結果、モニタ２９には図８（ｂ）で示すように、主映像に重ねてサブアイテムＭ２と下層アイテムＭ３を含むメニュー画像の一部が大きく表示されることになる。
【００６６】
こうして第２の実施形態では、メニュー画像において上位層のアイテムを選択したときに下位層のアイテムが存在する場合は、その下位層のアイテムを含む位置に切出し領域を自動的に移動することができるため、ユーザの操作性が向上する。
【００６７】
図９は、本発明の第２の実施形態の変形例を示すブロック図である。図９の例では、グラフィックデコーダ部２６から出力されたアルファ値のデータ量を削減するデータ削減部４８を備えたものである。データ削減部４８は、データ保持部４６に保持するアルファ値のデータ量を削減するものである。
【００６８】
データ削減部４８は、例えば２値化等によるビット低減処理や、サブサンプリング処理、或いはビット低減処理とサブサンプリング処理の両方の処理を行うことで、アルファ値のデータ量を削減する。これにより、データ削減部４８は、データ保持部４６のバッファの削減や処理の軽減を図ることができる。また比較部４７にもデータ削減部４８からの出力が供給される。図９の構成は、データ削減部４８を備える以外は図６と同じである。
【００６９】
尚、以上の実施形態では主映像信号を解像度変換部４１によってダウンコンバートして低解像度に変換する例について説明したが、解像度の変換比率はこれに限られるものではない。
【００７０】
例えば、モニタ２９としては、１０インチ程度のサイズであってもＨＤの解像度を有するものもある。従ってこのようなモニタ２９を有する場合は、主映像の解像度は変更せずにそのまま表示し、グラフィック画像の解像度をアップコンバートして一部を切出して表示すればよい。
【００７１】
図１０は、ディスプレイ装置２９がＨＤの解像度を有する場合のメニュー表示処理部の構成を示すブロック図である。
【００７２】
ビデオデコーダ部２４からの主映像信号は、解像度を変換することなくオーバレイ部４４に供給され、グラフィックデコーダ部２６からのグラフィックデータ（ＲＧＢ信号及びアルファ値）は解像度変換部４９によってアップコンバートして領域切出し部４２に供給される。領域切出し部４２からは、アップコンバートされ一部が切出されたメニュー画像が得られ、オーバレイ部４４に供給される。この場合も、切出されたメニュー画像は表示された主映像よりも拡大率が大きくなるため、メニュー情報の認識が容易になる。尚、領域切出し部４２と解像度変換部４９の処理順序を入れ替え、領域切出し部４２によってメニュー画像を切出した後で、解像度を変換するようにしても良い。
【００７３】
以上述べたように、本発明のディスク再生装置では、サイズの小さな車載用モニタ等にＨＤ  ＤＶＤコンテンツの映像を表示した場合に、メニュー画像を大きく表示することができ、メニューの認識・操作が容易になる。またメニュー操作を行ってグラフィック画像が変化した場合に、メニュー画像の切出し位置がそれに反映して移動するため、ユーザの操作性を向上することができる。
【００７４】
尚、以上の説明ではＨＤ  ＤＶＤの再生について述べたが、これに限らず、Ｂｌｕ−Ｒａｙディスクの再生においても適用することができる。
【００７５】
また以上の説明に限定されることなく、特許請求の範囲を逸脱しない範囲内で種々の変形が可能である。
【図面の簡単な説明】
【００７６】
【図１】本発明の一実施形態に係るディスク再生装置の構成を示すブロック図。
【図２】同実施形態におけるメニュー表示処理部の一実施例を示すブロック図。
【図３】図２のメニュー表示処理部の動作を説明する動作説明図。
【図４】同実施形態におけるメニュー表示処理部の変形例を示すブロック図と、表示画像の一例を示す説明図。
【図５】同実施形態におけるメニュー画像の表示例を示す説明図。
【図６】同実施形態におけるメニュー表示処理部の第２の実施例を示すブロック図。
【図７】図６のメニュー表示処理部の動作を説明する動作説明図。
【図８】図６のメニュー表示処理部による表示画像の一例を示す説明図。
【図９】第２の実施例のメニュー表示処理部の変形例を示すブロック図。
【図１０】本発明の一実施形態に係るディスク再生装置におけるメニュー表示処理部のさらに他の実施例を示すブロック図。
【図１１】一般的なディスク再生装置におけるメニュー画像の表示例を示す説明図。
【符号の説明】
【００７７】
１１…ディスク
１２…モータ
１３…光ピックアップ
１４…送りモータ
１５…サーボ制御部
１６…ＲＦアンプ
１７…デジタル信号処理部
１８，３２…ＲＡＭ
１９…ストリーム分離部
２０…オーディオ・ビデオ処理部
２４…ビデオデコーダ部
２６…グラフィックデコーダ部
２７…ヒデオプロセッサ
２８…ビデオエンコーダ
２９…ディスプレイ装置
３０…システムコントローラ
３１…操作部
４１，４５，４９…解像度変換部
４２…領域切出し部
４３…切出し位置制御部
４４…オーバレイ部
４６…データ保持部
４７…比較部
４８…データ削減部
５１…メニュー画像
５２…透明部
５３…切出し領域
【図１】
0004951499.tif 000002
【図２】
0004951499.tif 000003
【図３】
0004951499.tif 000004
【図４】
0004951499.tif 000005
【図５】
0004951499.tif 000006
【図６】
0004951499.tif 000007
【図７】
0004951499.tif 000008
【図８】
0004951499.tif 000009
【図９】
0004951499.tif 000010
【図１０】
0004951499.tif 000011
【図１１】
0004951499.tif 000012